(57)【特許請求の範囲】
【請求項１】
遊技者に還元すべき価値媒体の還元値を記録する還元値記録手段（１）、電源供給下で新規に発生する還元値と既に還元した値とに基づいて還元値の記録を更改する記録更改手段（２）、電源断絶時に未還元分の還元値の記録を保存する記録保存手段（３）を備え、
前記還元値記録手段（１）は、還元値と同じステップだけ位置変位する作動部材（Ｄ）をもつメカニカルカウンタ（１０）から成り、
前記記録更改手段（２）は、新規に発生する還元値に基づいて作動部材（Ｄ）を還元値が０のポジションである零点に対して正側に変位させ、既に還元した値に基づいて作動部材（Ｄ）を逆側に変位させる正逆駆動装置（２０）から成り、
前記記録保存手段（３）は、電源断絶時に作動部材（Ｄ）の変位位置を保持させるノンリターン機構（３０）から成ることを特徴とする遊技機のバックアップ装置。
【請求項２】
正逆駆動装置（２０）及びノンリターン機構（３０）は、作動部材（Ｄ）に連動連結するステッピングモータ（Ｓ）から成る請求項１記載の遊技機のバックアップ装置。
【請求項３】
正逆駆動装置（２０）と作動部材（Ｄ）とを結ぶ動力伝達経路に、減速機（Ｍ）を介在させている請求項１又は２記載の遊技機のバックアップ装置。
【請求項４】
作動部材（Ｄ）の変位による未還元分の還元値の記録を目視確認する指標部（４）を設けている請求項１〜３何れか一記載の遊技機のバックアップ装置。
【請求項５】
電源復帰後に未還元分の還元値の記録を読み出すために用いる記録読出ツール（５）を備えている請求項１〜４何れか一記載の遊技機のバックアップ装置。
【請求項６】
記録読出ツール（５）からの読み出し情報に基づいて未還元分の価値媒体を還元する還元実行手段（６）を備えている請求項５記載の遊技機のバックアップ装置。
【請求項７】
停電時点の変位位置に保持されていた作動部材（Ｄ）を、電源復帰後に零点側に強制的に位置変位させる正逆駆動装置（２０）の動作に伴って前記作動部材（Ｄ）の零点を検出する零点検出器（５１）を設けている請求項１〜４何れか一記載の遊技機のバックアップ装置。
【請求項８】
正逆駆動装置（２０）からの動力を伝達する経路に減速機（Ｍ）を介在させ、この減速機（Ｍ）の出力部に作動部材（Ｄ）を設けてこの作動部材（Ｄ）の単位当たりの変位を小さくする一方、前記減速機（Ｍ）の出力部とは変位速度の異なる前記正逆駆動装置（２０）の出力部に少なくとも１つのサブ作動部材（ＤＤ）を設けると共に、停電時点の変位位置に保持されていた前記サブ作動部材（ＤＤ）を、電源復帰後に零点側に強制的に位置変位させる正逆駆動装置（２０）の動作に伴って前記サブ作動部材（ＤＤ）の零点を検出するサブ零点検出器（５２）を設けている請求項７記載の遊技機のバックアップ装置。
【請求項９】
零点検出器（５１）及びサブ零点検出器（５２）による零点検出が重複するまでになされる前記作動部材（Ｄ）が正逆駆動装置（２０）により零点側に強制的に戻されたステップ数に基づいて、価値媒体を還元する還元実行手段（６０）を備えている請求項８記載の遊技機のバックアップ装置。
【請求項１０】
作動部材（Ｄ又はＤＤ）は回転円板から成り、零点検出器（５１又は５２）は回転円板に設けるインデックスマークを検出するインデックスセンサーから成る請求項７〜９何れか一記載の遊技機のバックアップ装置。
【発明の詳細な説明】
【０００１】
【発明の属する技術分野】
本発明は、パチンコ遊技機、いわゆるパチスロと称される回胴式遊技機、スロットマシン、ポーカーゲーム機、ルーレットゲーム機等、入賞や当たりに応じて遊技者に所定数の賞品球や賞品メダル等の価値媒体を払い出しにより還元したり、予めクレジットした遊技球や遊技メダルにより実際にプレーするときの価値媒体として機能させることにより遊技者に還元したりする各種遊技機に適用され、特にそれらの停電対策として有用な遊技機のバックアップ装置に関する。
【０００２】
【従来の技術】
従来、パチンコ遊技機の賞品球の払出し還元装置を例に説明すると、この種装置の多くのものは、遊技盤上の入賞口に入った入賞球を遊技機の裏機構や内部に設ける入賞球処理装置に導き、入賞球を１個づつ島側（パチンコホール設備側）に排出していきながら、その都度、払出装置を作動させて例えば５個や１３個といった所定数の賞品球を受皿に払い出すようにしている。
【０００３】
こうして、入賞球を１個づつ処理しながら払い出しを行うことにより、途中で停電が生じても、電気的なカウンタやメモリ等と異なり、未払い出し分の賞品球数が無効にならず、未処理の入賞球は入賞球処理装置の前段部分にストックされていて、停電からの復帰後は未処理の入賞球による払い出しを再開できるため、遊技者に不利益が及ばない仕様を実現している。
【０００４】
【発明が解決しようとする課題】
しかし、以上のものでは、遊技盤上の可変表示装置が特定図柄に揃っていわゆる大当たりが生じた場合のように、短時間のうちに大量の入賞球が発生する場合に対処するためには、入賞球処理装置、払出装置、及びこれらの連係機構を極めて高速でしかも高い信頼性を具備した高価な仕様にする必要がある。又、入賞球処理装置の前段には、相当数の入賞球をストックしておく比較的大きな貯球スペースを確保しておかなければならず、遊技機の裏機構・内部機構がスペース的に制約される問題もある。
【０００５】
更に、遊技機自体を高速性能で且つ高信頼性を具備した仕様にする必要がある他、大量の未払出し保留球を発生させないため、島側から遊技機の球タンクへの補球が途切れることなく厳格に行われる必要もあり、ホールコンピュータ側との連係にも相当高い信頼性が要求され、設備費用もかさむ問題もある。
【０００６】
本発明の主目的は、遊技機の裏機構・内部機構に大きな入賞球のストック部分を設けるといったスペース的なロスを低減でき、しかも遊技機自体及び島設備等の周辺設備の仕様の厳格さを緩和しつつ、停電対策を万全にできる遊技機のバックアップ装置を提供する点にある。
【０００７】
【課題を解決するための手段】
請求項１記載の発明は、上記主目的を達成するため、図１に示すように、遊技者に還元すべき価値媒体の還元値を記録する還元値記録手段１、電源供給下で新規に発生する還元値と既に還元した値とに基づいて還元値の記録を更改する記録更改手段２、電源断絶時に未還元分の還元値の記録を保存する記録保存手段３を備え、前記還元値記録手段１は、還元値と同じステップだけ位置変位する作動部材Ｄをもつメカニカルカウンタ１０から成り、前記記録更改手段２は、新規に発生する還元値に基づいて作動部材Ｄを還元値が０のポジションである零点に対して正側に変位させ、既に還元した値に基づいて作動部材Ｄを逆側に変位させる正逆駆動装置２０から成り、前記記録保存手段３は、電源断絶時に作動部材Ｄの変位位置を保持させるノンリターン機構３０から成る構成とした。
【０００８】
ここに、還元すべき価値媒体の還元値とは、入賞や当たりに応じて払い出されるべき賞品球や賞品メダル等の数、或は遊技機にクレジットした遊技球や遊技メダルの数等をいう。また、作動部材Ｄの零点は還元すべき還元値が０のポジションである。
【０００９】
請求項２記載の発明は、ブレーキ機構等の特別なノンリターン機構を設けることなく、その構成を簡易にするため、正逆駆動装置２０及びノンリターン機構３０は、作動部材Ｄに連動連結するステッピングモータＳから成るものとした。
【００１０】
請求項３記載の発明は、大量の払い出し保留球等、大きな還元値の記録に良好に対処するため、正逆駆動装置２０と作動部材Ｄとを結ぶ動力伝達経路に、減速機Ｍを介在させた。
【００１１】
請求項４記載の発明は、未還元分の還元値を簡易に確認できるようにして点検等に便ならしめるため、図１及び図２に示すように、作動部材Ｄの変位による未還元分の還元値の記録を目視確認する指標部４を設けた。
【００１２】
請求項５記載の発明は、請求項１〜４何れか一記載の発明において、未還元分に応じて自動的に還元実行する仕様に良好に適合させるため、電源復帰後に未還元分の還元値の記録を読み出すために用いる記録読出ツール５を設けた。
【００１３】
請求項６記載の発明は、請求項５記載の発明において、更に進んで自動的に還元実行して遊技者へのサービスを向上させるため、図６に示すように、記録読出ツール５からの読み出し情報に基づいて未還元分の価値媒体を還元する還元実行手段６を設けた。
【００１４】
請求項７記載の発明は、作動部材Ｄをもつ請求項１〜４記載の各発明において、作動部材Ｄの現位置と零点検出位置との変位により未還元分の値を認識して自動的に還元実行する仕様に良好に適合させるため、停電時点の変位位置に保持されていた作動部材Ｄを、電源復帰後に零点側に強制的に位置変位させる正逆駆動装置２０の動作に伴って前記作動部材Ｄの零点を検出する零点検出器５１を設けた。
【００１５】
請求項８記載の発明は、請求項７記載の発明において、メカニカルカウンタ１０の大量記録と、後の還元実行のための高精度な零点検出を実現するため、正逆駆動装置２０からの動力を伝達する経路に減速機Ｍを介在させ、この減速機Ｍの出力部に作動部材Ｄを設けてこの作動部材Ｄの単位当たりの変位を小さくする一方、前記減速機Ｍの出力部とは変位速度の異なる前記正逆駆動装置２０の出力部に少なくとも１つのサブ作動部材ＤＤを設けると共に、停電時点の変位位置に保持されていた前記サブ作動部材ＤＤを、電源復帰後に零点側に強制的に位置変位させる正逆駆動装置２０の動作に伴って前記サブ作動部材ＤＤの零点を検出するサブ零点検出器５２を設けた。
【００１６】
請求項９記載の発明は、請求項８記載の発明において、更に進んで自動的に高精度な還元実行を行って遊技者へのサービスを的確に向上させるため、零点検出器５１及びサブ零点検出器５２による零点検出が重複するまでになされる前記作動部材Ｄが正逆駆動装置２０により零点側に強制的に戻されたステップ数に基づいて、価値媒体を還元する還元実行手段６０を設けた。
【００１７】
請求項１０記載の発明は、請求項７〜９記載の発明において、零点検出機構を簡易且つ確実に構成するため、作動部材Ｄ又はＤＤは回転円板から成り、零点検出器５１又は５２は回転円板に設けるインデックスマークを検出するインデックスセンサーから成るものとした。
【００１８】
【発明の作用効果】
請求項１記載の発明では、メカニカルカウンタ１０上における作動部材Ｄの変位は、常時その遊技の時々において還元すべき適正な還元値を表わすことになる。従って、新たな賞品球の発生やクレジットの増加等により新規に発生する還元値と、払い出し済みやクレジットの消費等による既に還元した値とに基づいて、還元値記録手段１上の記録が記録更改手段２により更改される。これにより、還元値記録手段１の記録は、常時、その時々において適正な未還元分の値を表わすことになる。そして、停電が起こり電源が断絶されても、記録保存手段３により還元値記録手段１の未還元分の値は消えずに保存されるため、遊技者の利益が守られる。
【００１９】
こうして、還元値記録手段１上に常時その時々の状況に応じた還元すべき適性値が存在することになるため、例えば賞品球の払出装置では、入賞球カウンタによる連続計数及び連続排出が可能となり、従来のように入賞球の処理待ち用のストック部分を大きく確保する必要性もなければ、クレジット機能付きのものでは、そのクレジットのために多数の遊技球等をストックしておく部分も不要となる。又、島設備側からの補球の遅れ等があっても、還元値が適正に保たれているため、不都合が生じることもほとんどない。従って、遊技機上のスペースを節約でき、遊技機及び周辺設備の高速性能・高信頼性要求といった厳格さを緩和でき、構成を簡易にできながら、停電対策も万全にできる。
【００２０】
また、メカニカルカウンタ１０に具備する作動部材Ｄは、正逆駆動装置２０により、賞品球の発生やクレジットの増加等により新規に発生する還元値に基づいて還元値が０のポジションである零点に対し正側に変位され、払い出し済みやクレジットの消費等による既に還元した値に基づいて逆側に変位される。これにより、メカニカルカウンタ１０上における作動部材Ｄの変位は、常時その遊技の時々において還元すべき適正な還元値を表わすことになる。そして、停電が起こり電源が断絶されても、ノンリターン機構３により作動部材Ｄの変位位置は保持されるため、未還元分は保全され、遊技者の利益が守られる。
【００２１】
請求項２記載の発明では、ステッピングモータＳは、正逆方向に所定の角度づつ変位可能であると共に、電源を断つと、その時点のステップ位置で止まる。このため、正逆駆動手段２０を良好に構成できると共に、特別にブレーキ機構等を設けることなく、ノンリターン機構３０を兼備できることになる。
【００２２】
請求項３記載の発明では、正逆駆動装置２０の出力は減速機Ｍで減速されて作動部材Ｄに伝えられる。このため、正逆駆動装置２０の変位に対して、作動部材Ｄの変位を減速分だけ小さくでき、還元値の一単位あたりの作動部材Ｄの変位を小さくできる。従って、作動部材Ｄの変位範囲内における最大記録還元値を大きくでき、大量の還元値の記録を効果的に実現できる。
【００２３】
請求項４記載の発明では、指標部４により、作動部材Ｄの変位による還元値を目視確認できるため、停電の際の点検はもとより、任意の時点での点検にも便ならしめることができる。
【００２４】
請求項５記載の発明では、記録読出ツール５により未還元分の還元値の記録を読み出すことができるため、停電解消による電源復帰後、未還元分に応じて自動的に払出装置を駆動する場合の還元実行に便ならしめることができる。
【００２５】
請求項６記載の発明では、実際に還元実行手段６により未還元分の価値媒体が還元されるため、遊技者に対する迅速かつ適切な対応が図れ、サービスを向上できる。
【００２６】
請求項７記載の発明では、停電解消による電源復帰後、停電時点の変位位置に保持されていた作動部材Ｄを零点側に強制的に位置変位させる正逆駆動装置２０の動作に伴って前記作動部材Ｄの零点を検出する零点検出器５１を設けたために、停電時に位置保持されていた作動部材Ｄの現位置と、正逆駆動装置２０による強制的なリターン動作に伴い検出される零点検出器５１の検出位置とにより、未還元分の還元値を認識することができる。このため、未還元分に応じて自動的に払出装置を駆動する場合の還元実行に際し便ならしめることができる。
【００２７】
請求項８記載の発明では、減速機Ｍの介在により、メカニカルカウンタ１０上の大量記録を実現できる。しかも、このように大量記録を実現したことにより、還元値の一単位あたりの作動部材Ｄの変位が微小になるため、減速機Ｍの遊びやセンサー自体の感度バラツキ等の影響で、単独の零点検出器５１のみによる零点検出の誤差が大きくなるおそれがある。あるいは、過度に減速機Ｍの高精度化や零点検出器５１の高感度化等が求められることになる。
【００２８】
しかしながら、作動部材Ｄと変位速度の異なる出力部には、少なくとも１つのサブ作動部材ＤＤが設けられ、その零点を検出するサブ零点検出器５２が設けられているため、微小変位する作動部材Ｄの零点と比較的大きく変位するサブ作動部材ＤＤの零点とが重複したポイントが正規の零点すなわち還元値０の基準となる。このため、還元値一単位当たりの変位量が微小な作動部材Ｄのみ用いた場合の零点検出のずれを、変位量の大きなサブ作動部材ＤＤ側の零点検出で補うことができ、零点検出精度を向上できる。従って、後の還元実行のための還元値の読み取り精度を向上できる。
【００２９】
請求項９記載の発明では、零点検出器及びサブ零点検出器による零点検出の重複を利用した還元実行手段６０により、正確な未還元分の価値媒体を実際に還元できる。このため、迅速且つ適切で、しかも、公平且つ厳正に遊技者へのサービスを図ることができる。
【００３０】
請求項１０記載の発明では、回転円板とインデックスセンサーとにより、零点検出機構を簡易且つ確実に構成でき、信頼性を向上できる。
【００３１】
【発明の実施の形態】
図１及び図２に示すバックアップ装置は、遊技機の内部あるいは裏機構部に設置する仕様のものである。透明板等の板部材を用いて形成した本体ケーシング７の内部には、回転円板を用いた作動部材Ｄを有するメカニカルカウンタ１０から成る還元値記録手段１、ステッピングモータＳを用いた正逆駆動装置２０から成る記録更改手段２を内装している。ステッピングモータＳそれ自体に本来的に具備するノンリターン機能により、記録保持手段３たるノンリターン機構３０を実現している。
【００３２】
ステッピングモータＳは、ケーシング７内の仕切板７１に取付けており、例えば１回転４００ステップの仕様のものを用いている。ケーシング７内の中央仕切板７２には、例えば１／３００の減速比をもつギア式の減速機Ｍを取付支持している。そして、ステッピングモータＳの出力軸ＳＯを減速機Ｍに入力させ、減速機Ｍの出力軸ＭＯに作動部材Ｄを取付けている。従って、４００ステップ×３００で、１２０，０００個分の還元値を記録できるようになっている。
【００３３】
ステッピングモータＳの出力軸ＳＯには、作動部材Ｄと同じ材質及び大きさをもつ回転円板から成るサブ作動部材ＤＤを取付けている。そして、作動部材Ｄの外周部には零点検出器５１を、又、サブ作動部材ＤＤの外周には、サブ零点検出器５２をそれぞれ設けている。これら２つの零点検出器５１，５２により、記録読出ツール５を構成している。
【００３４】
図２に示すように、各零点検出器５１，５２は、各作動部材Ｄ，ＤＤの円板外周一部に放射状に設けるスリットから成るインデックスマーク５１０，５２０を検出する透過型のフォトセンサーを用いたインデックスセンサーから成る。尚、インデックスマークは、スリットに限らず、反射ラインマークや磁気マーク等であってもよく、それに応じて、センサも反射型フォトセンサー、磁気センサーに変えればよい。
【００３５】
各作動部材Ｄ，ＤＤの円板表面には放射方向の直交リブＲを設けている。又、作動部材Ｄの表面側には突起４１を設け、ケーシング７の透明の端板７３の円形窓部凹所７４には、円周上複数箇所に目盛溝４２を設けている。こうして、有色円板の作動部材Ｄの突起４１と、透明なケーシング７側の目盛り溝４２とで目視確認用の指標部４を構成している。
【００３６】
以上のバックアップ装置は、例えば図３〜５に示すパチンコ遊技機８の賞品球の払出記憶装置に適用している。
【００３７】
図３において、パチンコ遊技機８の遊技盤８０上には、ガイドレール８１、多数の釘８２（大部分は省略して描いている）、例えば液晶画面上に３列の数字・記号等の図柄を可変表示させる特別図柄表示装置８３、その可変表示を起動する電動チューリップ式の始動入賞口８４、特別図柄が３列全て揃った大当たり時に開放されるアタッカー８５、その左右両側の落とし入賞口８６，８６、左右の肩入賞口８７，８７、袖入賞口８８，８８、盤面サイドランプ８９，９０、ランプ風車９１，９１、通常風車９２，９２、通過型の役物上通路９３、同袖通路９４，９４を備える。特別図柄表示装置８３の上部には、天入賞口９５、７セグメントＬＥＤ表示器から成る普通図柄表示装置９６を、又、左右には、普通図柄表示装置９６を可変表示させる左右ゲート９７，９８を備える。普通図柄の当選時には、始動入賞口８４のチューリップを所定時間開くようにしている。
【００３８】
遊技盤８０の下方には、貸球及び払出球を貯める上受皿９９、上受皿９９からの余剰球を受ける下受皿１００、球をガイドレール８１に沿わせて遊技盤８０に打ち込む発射ハンドル１０１を備える。１０２は、プリペイドカードユニット、いわゆるＣＲサンドであり、差し込み口１０３に差し込むカードの残度数分だけ貸球を上受皿９９に受け取ることができる。こうして、発射ハンドル１０１のレバー１０４を回動させることにより、遊技盤８０に球を流下させ、遊技を楽しむことができる。１０５は入賞しなかった球のアウト口である。
【００３９】
図４は、遊技盤８０の裏面の球経路を示し、一般入賞口を構成する左右の落とし入賞口８６，８６、肩入賞口８７，８７、袖入賞口８８，８８、天入賞口９５に入賞した球は、各流下樋８６１，８６２，８７１，８７２，８８１，８８２，９５０を通ってそのまま集合樋８００に開放される。始動入賞口８４に入賞した球は、始動口スイッチｂ１を通過した後、流下樋８４０から集合樋８００に開放される。アタッカー８５に入賞した球は、テンカウントスイッチｂ２を通過した後、流下樋８５０から集合樋８００に開放される。集合樋８００に集められた球は、入賞球検知スイッチｂ３を通過した後、入賞球排出口８０１から島側に排出される。アウト口１０５の球は、そのまま島側に排出される。
【００４０】
尚、図４において、ｂ１１はアタッカー８５の開閉モータ、ｂ１２は始動入賞口８４のチューリップ開閉ソレノイド、ａ９，ａ１０は左右ゲート９７，９８の球通過を検出するゲートスイッチである。始動入賞口８４を除く一般入賞口８６，８７，８８，９５及びアタッカー８５への入賞球１個当たりの賞品球数は１３個、始動入賞口８４への入賞球１個当たりの賞品球数は５個に設定している。アタッカー８５のテンカウントスイッチｂ２は、アタッカー８５への入賞球数が１０個になるとアタッカー８５を閉じる機能をもつと共に、アタッカー８５の最大開放時間３０秒のうち、開放当初の５秒間、開放後１５秒〜２０秒の５秒間に設定したＶ入賞タイミングに１球でも入賞があると、アタッカー８５を最大１６回の繰り返しを限度に再開放させる機能をもつ。
【００４１】
図５は、遊技機８の裏機構を示し、島側から補給される球を貯める球タンク９１０、整列樋９２０、整流用スプロケット９３０、流下樋９４０、賞球装置９５０等をもつ払出装置９００を設けている。賞球装置９５０は、同図（Ｂ）に示すように、スプロケット型制御部材９５１を払出ソレノイド９５２の可動片９５３で係止させることにより球の払い出しを止め、同図（Ｃ）で示すように、可動片９５３を吸引して制御部材９５１をフリーにすることにより球の払い出しを行うようにしている。払い出す個数は、それぞれ発光・受光部をもつ上下一対の個数検知スイッチ９５４，９５５でカウントされ、５個や１３個といった所定数の賞品球を払い出すようにしている。
【００４２】
賞球装置９５０の出口に連続する流下樋９４１は、上受皿９９の開放口９６０に通じている。又、上受皿９９が満杯になると、分岐樋９４２を通じて下受皿１００の開放口９７０に余剰球を開放するようになっている。９８０は球タンク９１０の球を抜く球抜き樋、９９０はアウト口１０５、入賞球排出口８０１、球抜き樋９８０からの球を島側に排出する排出ダクトである。尚、６０１は特別図柄表示装置８３の制御や各種ランプ・音響等の制御を受け持つ主基板、６０２は発射ハンドル１０１や払出装置９００等の制御を受け持つ枠基板であり、マイクロコンピュータを具備する電気回路で構成している。
【００４３】
遊技機８の裏機構下方には、上記バックアップ装置７００を設置しており、入賞と払い出しとの履歴を逐次記録し、停電時はその記録を保存するようにしている。
【００４４】
すなわち、図６に示すように、枠基板６０２にバックアップ装置７００のステッピングモータＳ、一対の零点検出器５１，５２を接続している。そして、そのステッピングモータＳを、入賞による賞品球の数と同じステップだけ正側に駆動し、払出装置９００から払い出した球の数と同じステップだけ逆側に駆動するようにしている。従って、結局、払出しの遅れに基づく未払い分の賞品球数が記録されることになる。
【００４５】
停電が起こり、電源が断絶すると、ステッピングモータＳへの通電も絶たれ、その時点でのステップ位置で該モータＳは止まる。このため、未払い分の賞品球数は保存されるのであり、たとえ、大当たりの途中の停電があっても、最大１０万個を越える記録の保存が可能であるため、遊技者の利益は守られる。
【００４６】
枠基板６０２には、電源立ち上げ時に起動して、バックアップ装置７００から未払い分の賞品球数を読み出して払い出し還元する還元実行手段６を設けている。すなわち、停電が解消し、電源が復帰すると、ステッピングモータＳを零点側すなわち逆側に強制的にリターンさせ、一対の零点検出器５１，５２からの検出信号を取り込む。２つの零点が重複すると、強制的なリターンを停止させる。この間に、強制的に戻されたステップ数が保存された未払い分の賞品球の数である。従って、この数だけ払出装置９００を作動させて賞品球を払い出すことにより、遊技者に適正に利益が還元されることになる。
【００４７】
ところで、以上のものでは、バックアップ装置７００における還元値記録手段１を構成するメカニカルカウンタ１０に回転円板から成る作動部材Ｄを用いたが、その他、ネジ状の送り機構で進退案内される進退移動式の作動部材や、つる巻き状の変位部材から成る作動部材、ワイヤー等の索状体の巻込み・巻伸ばしを利用した索状の作動部材等を用いてもよい。
【００４８】
又、以上のものでは、パチンコ遊技機の賞品球の払出装置に適用したが、いわゆパチスロや他のゲーム機のメダル払出装置にも適用できる。更に、クレジット機能をもつあらゆる遊技機のクレジットの履歴を記録保存するものにも適用できる。
【図面の簡単な説明】
【図１】本発明に係る遊技機のバックアップ装置の断面図。
【図２】同バックアップ装置の正面図。
【図３】同バックアップ装置を適用する遊技機の正面図。
【図４】遊技機における遊技盤裏面の通路構成図。
【図５】同遊技機における裏機構の構成図。
【図６】バックアップ装置と遊技機との接続回路図。
【符号の説明】
１；還元値記録手段（１０；メカニカルカウンタ）
２；記録更改手段（２０；正逆駆動装置）
３；記録保存手段（３０；ノンリターン機構）
４；指標部
５；記録読出ツール（５１，５２；零点検出器）
６；還元実行手段（６０；同期式還元実行手段）
Ｄ，ＤＤ；作動部材
Ｓ；ステッピングモータ
Ｍ；減速機
【図１】
0003822320.tif 000002
【図２】
0003822320.tif 000003
【図３】
0003822320.tif 000004
【図４】
0003822320.tif 000005
【図５】
0003822320.tif 000006
【図６】
0003822320.tif 000007